(57)【特許請求の範囲】
【請求項１】
家具の移動可能な部分を作動する装置であって、
移動可能な家具部分と、
ドライブユニットと、
前記ドライブユニットを調節する調節装置と、
加速度測定装置と、を有し、
前記加速度測定装置が、外部から前記移動可能な家具部分に加えられる引っ張りあるいは押し込み力によって生じる加速度を測定し、その測定された加速度の特徴を示す加速度信号を作り出して前記調節装置に供給し、
前記調節装置が、前記移動可能な家具部分を引っ張りあるいは押し込み加速度の方向に動かすための制御指令を、前記加速度測定装置によって測定される引っ張りあるいは押し込み加速の間に、前記ドライブユニットに送る、
ことを特徴とする家具の移動可能な部分の作動装置。
【請求項２】
前記ドライブユニットが、電気モーターを含むことを特徴とする、請求項１に記載の家具の移動可能な部分の作動装置。
【請求項３】
前記加速度信号が、外部から前記移動可能な家具部分に加えられる力によって生じる加速度の大きさに関する情報を含んでいることを特徴とする、請求項１に記載の家具の移動可能な部分の作動装置。
【請求項４】
前記ドライブユニットが、所定のタイムスパンの間、略均一に前記移動可能な家具部分を加速することを特徴とする、請求項１に記載の家具の移動可能な部分の作動装置。
【請求項５】
前記調節装置に供給されるところの前記移動可能な家具部分についての位置信号を作り出す位置測定装置（４）を有することを特徴とする、請求項１に記載の家具の移動可能な部分の作動装置。
【請求項６】
前記ドライブユニットが、前記移動可能な家具部分の閉鎖端位置と開放端位置の間の全距離よりも短い所定の部分的な距離にわたってのみ、移動可能な家具部分を加速することを特徴とする、請求項５に記載の家具の移動可能な部分の作動装置。
【請求項７】
前記移動可能な家具部分が所定の位置にあることを特徴付ける信号であり且つ前記位置測定装置（４）に供給される信号を作り出す初期化装置（６）を有することを特徴とする、請求項５に記載の家具の移動可能な部分の作動装置。
【請求項８】
前記所定の位置の１つが、前記移動可能な家具部分の閉鎖端位置であることを特徴とする、請求項７に記載の家具の移動可能な部分の作動装置。
【請求項９】
前記所定の位置の１つが、前記移動可能な家具部分の開放端位置であることを特徴とする、請求項７に記載の家具の移動可能な部分の作動装置。
【請求項１０】
前記初期化装置が、当該家具の移動可能な部分の作動装置内に配置され、前記移動可能な家具部分によって作動可能な作動要素（１１）によって起動されるようになっており、前記作動要素が、圧力スイッチ、又は、誘導性あるいは容量性のセンサーであることを特徴とする、請求項７に記載の家具の移動可能な部分の作動装置。
【請求項１１】
前記移動可能な家具部分が、当該家具の移動可能な部分の作動装置内の側面に配置される側方フレーム上を移動可能に取りつけられた引き出しであることを特徴とする、請求項１に記載の家具の移動可能な部分の作動装置。
【請求項１２】
前記ドライブユニットが、前記側方フレームに取りつけられることを特徴とする、請求項１１に記載の家具の移動可能な部分の作動装置。
【請求項１３】
前記ドライブユニットが、移動可能な家具部分の後壁に対向する、当該家具の移動可能な部分の作動装置の内面に取りつけられることを特徴とする、請求項１１に記載の家具の移動可能な部分の作動装置。
【請求項１４】
前記ドライブユニットが、側方フレームに配置された少なくとも２つのローラー（１８）上を走行可能な歯付きベルト（１７）によって、前記移動可能な家具部分に連結していることを特徴とする、請求項１に記載の家具の移動可能な部分の作動装置。
【請求項１５】
位置、速度、加速度からなる、移動可能な家具部分の物理量の１つ以上を測定するための、リゾルバ、光学エンコーダーあるいは磁気エンコーダーを含み、その信号が、前記調節装置に供給されることを特徴とする、請求項１に記載の家具の移動可能な部分の作動装置。
【請求項１６】
前記ドライブユニットが、ブラシレス直流モーターを含み、位置、速度、加速度からなる、移動可能な家具部分の物理量の１つ以上の測定が、前記モーターの整流子シグナルによって直接行われ、このようにして得られた信号を前記調節装置に供給することが可能であることを特徴とする、請求項１に記載の家具の移動可能な部分の作動装置。
【請求項１７】
前記ドライブユニットが、電気モーターを含み、前記位置測定装置が、前記電気モーターと一体であることを特徴とする、請求項５に記載の家具の移動可能な部分の作動装置。
【請求項１８】
前記移動可能な家具部分が、引き出しであることを特徴とする、請求項１に記載の家具の移動可能な部分の作動装置。
【請求項１９】
前記電気モーターが、直流モーターであることを特徴とする、請求項１７に記載の家具の移動可能な部分の作動装置。
【請求項２０】
前記ドライブユニットが、当該家具の移動可能な部分の作動装置の２つの側壁から略同じ間隔を持って配置されていることを特徴とする、請求項１３に記載の家具の移動可能な部分の作動装置。
【発明の詳細な説明】
【０００１】
【産業上の利用分野】
本発明は、引き出し等の、少なくとも１つの移動可能な部分を有する家具について、その移動可能な家具部分を移動する装置に関し、特に、少なくとも１つのドライブユニットと、このドライブユニットを調節する少なくとも１つの調節装置を有する装置に関する。
【０００２】
【従来の技術】
この種の装置に関連するものとしては、特許文献１〜特許文献３に記載されているものが知られている。特許文献１には、一旦、識別コードが入力されると、その全開放距離の第１領域に渡ってモーターによって引き出しが移動させられるようになったオフィス家具が開示されている。
【０００３】
特許文献２には、使用者によって触れられると電気放電するようになったコンデンサーによって駆動されるようになった、例えば、引き出しのような、閉鎖要素のための開放手段が記載されている。ここにおいても、引き出しは、家具の骨組から部分的にだけ移動させられるのである。
【０００４】
特許文献３には、引き出しを家具類から引いたりあるいは引き出しを家具類内に押し込むための装置であって、骨組に配置された押しボタンによって駆動されるようになった装置が開示されている。この場合、押しボタンを用いることによって、全開放距離に沿った引き出しのいかなる位置も可能となる。この場合、そのような開放補助が、必ずそのために特別に設けられた作動要素によって起動されねばならないということは問題であり、これは、多くの使用者にとって厄介である。特に、一般に技術について懐疑的な人たちにとっては、引き出しを押したり引いたりするというような古くからの良い方法によって、駆動可能な家具部分を操作することが出来たら有利だと思われることであろう。
【０００５】
【特許文献１】
米国特許第５，１５８，３４７号公報
【０００６】
【特許文献２】
欧州特許第０９５７２２５号公報
【０００７】
【特許文献３】
独国特許ＤＥ１０１７３５１号公報
【０００８】
【発明が解決しようとする課題】
本発明の目的は、移動可能な家具部分を、ドライブユニットの駆動によって直感的に作動することを可能にする一般的な装置を提供することである。
【０００９】
【課題を解決するための手段】
以上の目的は、好ましくはアナログの、加速度測定装置を有し、該加速度測定装置が、移動可能な家具部分（例えば引き出し）に外部から加えられる力によって生じる加速度の特徴を示し調節装置に供給される加速度信号を作り出すようになった、本発明の装置によって達成される。すなわち本発明は、請求項１に記載したような、家具の移動可能な部分を作動する装置であって、
移動可能な家具部分と、
ドライブユニットと、
前記ドライブユニットを調節する調節装置と、
加速度測定装置と、を有し、
前記加速度測定装置が、外部から前記移動可能な家具部分に加えられる引っ張りあるいは押し込み力によって生じる加速度を測定し、その測定された加速度の特徴を示す加速度信号を作り出して前記調節装置に供給し、
前記調節装置が、前記移動可能な家具部分を引っ張りあるいは押し込み加速度の方向に動かすための制御指令を、前記加速度測定装置によって測定される引っ張りあるいは押し込み加速の間に、前記ドライブユニットに送る、
ことを特徴とする家具の移動可能な部分の作動装置である。
【００１０】
（削除）
【００１１】
加速度が、直接測定されるか、それとも、その他の測定される変数から計算されるかは、重大なことではない。この意味で、時計と結合された移動可能な家具部分（例えば引き出し）の位置を決定する装置もまた、加速度測定装置を形成する。この場合、速度は、与えられた時間の間の距離によって決定され得、そして、加速度は、速度変化から決定され得る。
【００１２】
本発明では、しかしながら、移動可能な家具部分の加速度が発生するという事実を認識することが、加速度の大きさや方向にかかわらず、大切である。
【００１３】
本発明の一実施例においては、ドライブユニットが、電気モーターを含んでいることが有利である。この種の極めて小さな電気モーターが商業的に利用可能であり、低電流消費を伴なう、問題のない作動を保証している。
【００１７】
本発明の有利な実施例によれば、ドライブユニットは、所定のタイムスパンにわたって、ほぼ均一に移動可能な家具部分を加速するようにすることができる。また、移動可能な家具部分の閉鎖端位置と開放端位置の間の全距離よりは短い長さの、所定の部分的な距離にわたってのみ、移動可能な家具部分を加速するようなドライブユニットを提供することができる。ドライブユニットは、移動可能な家具部分（例えば引き出し）の全開放距離にわたって作動させる必要がないからである。
【００１８】
（削除）
【００１９】
（削除）
【００２２】
タッチ・ラッチ構造（ｔｏｕｃｈ‐ｌａｔｃｈ  ｃｏｎｓｔｒｕｃｔｉｏｎ）によって、初期化装置によって確立された閉鎖端位置は、勿論、衝突による移動可能な家具部分の位置ではなく、所定の距離分更に外側の位置となる。このことは、装置の前側と、閉鎖端位置における移動可能な家具部分の前パネルの間のタッチ・ラッチ構造にとって必要な隙間を保証するのである。
【００２３】
本発明の更に有利な実施例においては、初期化装置が、装置内に配置され、移動可能な家具部分（例えば引き出し）によって駆動される作動要素によって作動されることである。これにより、使用者が、特別の作動要素を作動する必要がなくなる。装置内に配置される、この種の作動要素は、例えば、移動可能な家具部分の閉鎖端位置を決定するためのリミットスイッチとして組み立てられている。例えば、このリミットスイッチは、圧力スイッチとして組み立てられても構わない。移動可能な家具部分が、ドライブユニットまたは使用者によって押されると、最後の数ミリメートルの押しこむ距離以上に、移動可能な家具部分によって作動される。その結果、本発明の装置における移動可能な家具部分の閉鎖端位置が、確立される。リミットスチッチあるいは作動要素は、一般に、誘導センサあるいは容量センサとして組み立てられることができ、その結果、移動可能な家具部分のそれぞれの端部位置は、接触することなく検出される。当業者に公知のその他のセンサもまた提供され得る。
【００２４】
（削除）
【００２５】
（削除）
【００２６】
本発明の更なる有利な実施例によれば、移動可能な家具部分は、装置内の側方に配置されたフレームに移動可能に取り付けられる。この種のフレームは、それ自体は従来技術であるのだが、低摩擦を可能にし、本発明の装置に移動可能な家具部分を取り付けることを保証する。
【００２７】
本発明の更に有利な実施例においては、ドライブユニットは、フレームに取り付けられる。これにより、例えば、別々のドライブユニットが、それぞれの移動可能な家具部分に利用できるようになる。ドライブユニットが固定されるフレームを、本発明の装置に、最初から取り付けることが可能になる。
【００２８】
本発明の更に有利な実施例においては、ドライブユニットは、移動可能な家具部分の後部壁に対向する装置の内面に、好ましくは、装置の２つの側壁からほぼ同じ間隔を空けて取り付けられる。
【００２９】
本発明の更に有利な実施例においては、ドライブユニットは、移動可能な家具部分に連結されている。この場合、歯付きベルトを用いると、移動可能な家具部分とドライブユニットの間の滑りの無い連結が保証される。力は、例えば、側方フレームに配置される少なくとも２つのローラー上を走行するベルトによって実行される。両側方フレームは、それぞれのベルトが、力の伝達のために案内される、少なくとも２つのローラーを有するように構成されることができるのは言うまでもない。
【００３０】
（削除）
【００３１】
（削除）
【００３２】
（削除）
【００３３】
本発明の更に有利な実施例においては、装置が、移動可能な家具部分の位置や、速度あるいは加速度を測定するリゾルバを含んでおり、その信号が、調節装置に供給されるようになっている。この種のリゾルバは、商業的に利用可能であり、機械的および熱的両方において極めて丈夫である。この種のリゾルバは、回転変圧器の原理に従って組み立てられている。商業的に利用可能なリゾルバは、しばしば、一体的な評価回路とともに利用可能であり、その結果、その信号は、調節装置に直接供給できるようになる。
【００３４】
本発明の更に有利な実施例においては、装置は、移動可能な家具部分の位置や、速度あるいは加速度を測定する光学エンコーダーを含んでおり、その信号が、調節装置に供給されるようになっている。この種のエンコーダーは、リゾルバに代わって、低コストと、しばしば省スペースを達成することができる。同時に、例えば、６４から１０２４パルス／回転の、本発明の装置の起動の満足の行く角度範囲を保証する。
【００３５】
本発明の更に有利な実施例においては、ドライブユニットが、ブラシ無し直流モーターと、整流子信号により直接作られる、移動可能な家具部分の位置や、速度あるいは加速度を測定する装置を含んでおり、このようにして得られた信号を、調節装置に供給できるようになっている。しばしば、この種のブラシ無しモーターは、ホール効果センサー構造とともに商業的に利用可能である。
【００３６】
今日では、極めて小さな電子モーターが既に利用可能であり、ここでは、電子、光学あるいは磁気位置測定装置が、既に電子モーターと一体化されており、これにより、取付のためのスペースと時間が節約される。
【００３７】
（削除）
【００３８】
（削除）
【００３９】
（削除）
【００４０】
（削除）
【００４１】
（削除）
【００４２】
【発明を実施するための最良の形態】
本発明による装置のその他の利点および詳細は、以下の図面および図面に関連する説明から明らかになるであろう。
【００４３】
図１の（ａ）に示されるように、引き出しとして組み立てられている、移動可能な家具部分３が、その側面１２の１つについて示されている。引き出しは、ハンドル２８を備えて組み立てられていることがわかるであろう。移動可能な家具部分３は、本発明による装置７においてローラー１８上を走行する歯付きベルト１７にドライブユニット５からギア２２によって伝達される力で、直線的に移動可能になるように取り付けられている。また、ドライブユニットレギュレーター１０が同様に示されている。電気部品への動力の供給は、導電性接続２９によって行われる。閉鎖端位置における移動可能な家具部分３が図１の（ａ）に示されており、この位置では、移動可能な家具部分３の前面パネル２６は、本発明の装置７の前側に直接置かれている。使用者（図示せず）がハンドル２８の引っ張り動作を行うと、移動可能な家具部分３は、図１の（ｂ）に示す起動条件位置に移動する。
【００４４】
図２の（ａ）は、図１の（ａ）および（ｂ）に図示した装置７を再び示しており、移動可能な家具部分３が開放端位置に移動されていて、この移動可能な家具部分３が取り付けられる２つの側方フレーム１４のうちの１つも示している。使用者（図示せず）によって図２（ａ）の状態から家具部分３を押す操作がなされると、図２の（ｂ）に示すように移動可能な家具部分３は、開放端位置と閉鎖端位置の間の位置にくる。
【００４５】
図３の（ａ）、図３の（ｂ）および図３の（ｃ）には、タッチラッチ構造における本発明の装置が示されている。図３の（ａ）および図３の（ｂ）の詳細図から明らかなように、この変更例では、移動可能な家具部分３の閉鎖位置においても、本発明による装置の前側と、移動可能な家具部分３の前面パネル２６の間に隙間３０がある。これにより、移動可能な家具部分３は、そのような構成を備えた従来技術と同様にして開放される。したがって、ここではこれ以上の詳細な説明はしない。
【００４６】
この種のタッチラッチ構造では、移動可能な家具部分３は、図３の（ｃ）に図示するように、少し開放操作されるだけで、ドライブユニット５による引出操作がなされることは言うまでもない。これは、使用者が、ドライブユニット５によって与えられる引出操作にできるだけ少なく気づくようにするという基本概念に一致している。このタッチラッチ構造の本装置７によれば、前面パネル２６に対する引き出し動作を少しだけ行った圧力に速やかに応答して、移動可能な家具部分３の引出操作が可能となる。
【００４７】
図４の（ａ）は、本発明による装置のさらに別の実施例を示しており、この装置では、初期化装置６の作動要素１１がドライブユニット５に含まれていることが図示されている。図４の（ｂ）は、移動可能な家具部分３の閉鎖端位置において、移動可能な家具部分３の後側と作動要素１１の間に空間があり、これにより、作動要素１１が接触することなく移動可能な家具部分３によって作動させられることを詳細に示している。これは、例えば、誘導センサーとして組み立てられる作動要素１１によって可能となる。図４の（ｃ）は、移動可能な家具部分３が、図４の（ａ）と図４の（ｂ）に示した閉鎖端位置から起動条件位置に引き出されたときの状態を示している。
【００４８】
図５の（ａ）は、斜視図で、本発明による装置の内側に取り付けた２つの内の１つの側方フレーム１４を示しており、この側方フレーム１４に配置され、ローラー１８上を走行する歯付きベルト１７と対応する歯を有する２つのローラー１８が示されている。図５の（ｂ）は、ドライブユニットレギュレータ１０を備えたドライブユニット５の詳細を示しており、この例では、ドライブユニット５は、ローラー１８のうちの１つを駆動し、また、ドライブユニット５と一体化されたギア２２によって歯付きベルト１７を駆動している。明確にするために、移動可能な家具部分３は、図示されていない。
【００４９】
図６は、両側方フレーム１４および１５が示された更に別の実施例を示しており、そこに含まれるドライブユニット５とギア２２は、両側方フレーム１４および１５の領域で、本発明による装置の後部壁（図示せず）に固定されている。明確にするために、側方フレーム１４および１５に支持された移動可能な家具部分３は図示されていない。
【００５０】
図７の（ａ）および図７の（ｂ）は、連結シャフト１９を有する実施例が示してあり、この連結シャフト１９は、２つの側方フレーム１４・１５に設けたローラー１８にドライブユニット５を連結するためのものである。図７の（ｂ）の詳細図に示した実施例においては、間に挟まれたギア２２によって力が加えられていることが明らかである。
【００５１】
図８の（ａ）は、図７の（ａ）および図７の（ｂ）の装置を別の角度から示しており、図８の（ｂ）に示したように、側方フレーム１５に設けたローラー１８に連結シャフト１９によって力を加えるために、このドライブユニット５に対する連結シャフト１９の連結が行われていることを示している。
【００５２】
図９は、本発明による装置７の実施例の斜視図を示しており、この装置は、前面パネル２６とハンドル２８を備えた３つの移動可能な家具部分３、つまり３つの引き出しを有している。この移動可能な家具部分３、つまり引き出しは、側部壁１２と後部壁１６が一番上に取り付けられるものとして図示してある。導電性接続２９の一部が、切断部分を介して図示されている。
【００５３】
図１０は、図９と同様にして、本発明による装置の変形例を示しており、この例では、タッチラッチ構造が備えられている。従って、ハンドル要素は、前面パネル２６に設けられていない。
【００５４】
図１１の（ａ）は、解放端位置にされた最上部に取りつけられた移動可能な家具部分３を備えた、図１０に示す本発明による装置をもう一度示している。本発明による装置７の内側には、側方フレーム１４が取り付けられている。この側方フレーム１４は上下２つの部分からなり、その上部が可動で、下方部が本発明による装置７の側壁に固定されている。その詳細図１１の（ｂ）は、ドライブユニットレギュレーター１０とギア２２を備えたドライブユニット５と、ローラー１８と、歯付きベルト１７と、動力源（導電性接続）２９の一部を示している。
【００５５】
図１２の（ａ）は、従来技術に対応する導電性材料のディスク２３を示しており、このディスク２３は、磁気エンコーダー（詳細は図示しない）の回転可能に取り付けられた一部であり、シャフト（図示せず）によってドライブユニット５に回転可能に連結されている。更に、図１２の（ｂ）には、ディスク２３の２つの表面の１つ上に直接配置される誘導センサー２７が図示されている。使用者が、移動可能な家具部分３（ここでは図示していない）に力を加えるとすぐに、ドライブユニット５に連結されるディスク２３は回転動作を始め、その結果、誘導センサー２７は、図１２の（ｃ）に図示される形状の信号を、当該信号がディスク２３の導電性材料上に配置されているかあるいは空隙上に配置されているかに応じて、調節ユニット１に加える。
【００５６】
これら図面に示されている、２チャンネルデコーダーとしての構造の結果として、２つのチャンネルのそれぞれのインパルス幅とディスク２３の回転方向とから、回転速度を確立することができ、それゆえに、そこに連結されたドライブユニット５の回転速度を、個々のインパルスの位相角から確立することができ、移動可能な家具部分３の直線運動に関連付けることができるのである。このようにして、使用者が、移動可能な家具部分３をそれぞれの方向に動くように押すとすぐに、調節装置１は、位置測定装置４からの電気信号によって前記家具部分３の動きを検出する。この実施例では、ディスク２３とセンサー２７が位置測定装置４の一部を形成し、ドライブユニットレギュレータ１０によって、移動可能な家具部分３を使用者によって意図される方向に加速する指令をドライブユニット５に与えるのである。図１２の（ｂ）は、図１２の（ａ）に示されたディスク２３と誘導センサー２７の斜視図である。
【００５７】
図１２の（ｄ）に示した実施例は、更なる実施例の位置測定装置４を示す。この位置測定装置４は光学エンコーダーとして組み立てられており、この場合、同時に加速度測定装置２を形成している。この光学エンコーダーでは、発光素子２５の光が、発光素子２５と光検出要素２４との間に配置された回転ディスク２３によって遮られないかぎりスクリーン３１によって光検出要素２４上に向かうようにしたものである。このような測定手段の詳細は、当該技術の関連文献に見出せる。
【００５８】
図１３、図１４および図１５は、移動可能な家具部分３が、その閉鎖端位置から一時的な中間位置に移動させられる時の典型的な作動と、使用者によって、移動可能な家具部分３が開放端位置あるいは再び閉鎖位置に移動させられる時の作動とを、例として示した、距離と時間の関係を示すグラフである。この実施例では、例として、閉鎖端位置と開放端位置との間の全距離Ｓが、略０．４３メートルであると仮定している。閉鎖端位置は、距離／時間グラフにおいては、ｙ方向の原点０に対応している。家具のタッチラッチ項目としての構成において、移動可能な家具部分３の位置に対応する閉鎖端位置では、図３の（ｂ）に示したように、その前面パネル２６と本発明の装置の前側との間に、隙間３０が形成されていることは言うまでもない。
【００５９】
図１３から明らかなように、使用者による作動後の最初のタイムスパンｔ０以内に、移動可能な家具部分３の均一な加速が、開放動作を支持するために、部分距離Ｓ１に渡って、ドライブユニット５によって実行される。移動可能な家具部分３のそれに続く移動は、システム自体の摩擦作用のもとでのみ実行され、その結果、移動可能な家具部分３は、遂には、中間位置（ここでは、略０．２２メートルの位置）に到達するのである。
【００６０】
図１４は、一定の時間が経過した後の中間位置に配置された移動可能な家具部分３に使用者が引張力を加えた時の可能な形態を示しており、これにより、調節装置１は、ドライブユニットレギュレータ１０によって、引っ張り加速が実行される方向に均一に移動可能な家具部分３を加速する指令を、ドライブユニット５に伝達する。この理由により、図１４には、部分的な距離Ｓ２にわたってドライブユニット５による移動可能な家具部分３の均一な加速移動と、システム自体の固有の摩擦力の作用によってのみの中間移動であって、移動可能な家具部分３の一定の制動を引き起こす中間移動と、一定の距離Ｓ３にわたってのもう一つの均一な加速移動であって、ドライブユニット５による加速が移動可能な家具部分３の現在の速度と反対方向に加えられるような、もう一つの均一な加速移動とであって、これにより制動される加速移動、とが示されている。その結果、移動可能な家具部分３は、無視できる程度の最終速度あるいは速度０で開放端位置に到着する。換言すれば、部分的な距離Ｓ３は、移動可能な家具部分３が開放端位置に移動する時に、移動可能な家具部分３の制動を安全に行う保証をするために、工場で予め決められた制動距離ということになる。使用者にとっては、これは、領域Ｓ３における、摩擦効果を増加する形式をとることになる。
【００６１】
図１５は、使用者の押し込み動作によって、閉鎖端位置の方向の中間位置に配置された移動可能な家具部分３を加速するときの、可能な形態を示している。距離／時間グラフにおける部分的な距離Ｓ２にわたっての移動可能な家具部分３の均一な加速移動と対称的な、ドライブユニット５の即座の積極的な支持効果が、再び示されている。閉鎖端位置の手前で生じる保護距離Ｓ３であって、不要な音を生じることなく、閉鎖端位置に確実に後者を移動するために移動可能な家具部分３の均一な加速制動動作をドライブユニット５が引き起こすような保護距離Ｓ３が示されている。部分的な距離Ｓ２とＳ３の間の部分的な距離での移動は、システム自体の固有の摩擦作用のもとで行われる。
【００６２】
以上の図１３、図１４および図１５に示されているように、閉鎖端位置と開放端位置の間の全距離Ｓの部分的な距離Ｓ１、Ｓ２およびＳ３は、慣例的に、工場で予め設定される。これは、使用者が、この技術の詳細に悩まされたくないであろうという考えに基づいている。
【００６３】
図１６は、本発明による装置の個々の要素が互いに情報交換する方法を概略的に図示したものである。ドライブユニットレギュレーター１０と、実際値計算装置８を含む、調節装置１が概略図示されている。位置測定装置４は、実際値計算装置８に信号を送ることができ、初期化装置６からの信号を受信する能力を有しており、これは、同様に、作動要素１１によって起動され得るようになっている。ドライブユニットレギュレーター１０は、加速度測定装置２と実際値計算装置８からの信号を受信する。システムの要素間の情報の流れの概略的な論理図は、それぞれの物理的な装置に必ずしも対応しているわけではない。例えば、全てのシステム要素は、省スペースのために、本発明による装置７に物理的に、一体的に配置されても構わない。しばしば、物理的形式において単一の部分として存在するような要素が、複数の論理機能を実行することができ、そのような要素としては例えば、リゾルバおよび光学あるいは磁気エンコーダーを例示できる。これらは、位置測定装置４及び加速度測定装置２として同時に作用しても良い。
【００６４】
図１７の（ａ）および図１７の（ｂ）は、システムユニットとして考えられる装置である、移動可能な家具部分３の基面の側面図及び平面図を概略的に示している。図１７の（ａ）には、前面パネル２６を備えた移動可能な家具部分３の側面１３が示されており、この実施例においては、本発明による装置７は、タッチラッチ構造に組み立てられている。移動可能な家具部分３は、部分的に２つのローラー１８によってドライブユニット５に連結されたベルト１７に連結部材１７ａを介して連結されている。
【００６５】
この実施例においては、力は、連結シャフト１９によって両側に伝達される。力は、本実施例では、ドライブユニットの左右に配置され、連結シャフト１９に連結された２つのギア２２によってドライブユニット５から伝達されている。また、ギア２２とドライブユニット５の間に配置される加速度測定装置２が図示されている。位置測定装置４、実際値計算装置８、ドライブユニットレギュレーター１０、初期化装置６そしてそれらの作動要素のようなその他のシステム要素は、図１７の（ａ）及び図１７の（ｂ）には図示されていない。これらの要素は、上記下システム要素に、当業者に公知の方法で、一体化されており、これにより、その機能を果たすようになっている。
【００６６】
全ての図面において、従来技術に相当する部分の図示及び説明、また当業者に公知の機能の説明は、省略した。
【図面の簡単な説明】
【図１】本発明の装置を示す図であって、（ａ）は移動可能な家具部分が閉鎖端位置にあるときの部分断面図、（ｂ）は移動可能な家具部分が起動条件位置にあるときの部分断面図である。
【図２】同装置を示す図であって、（ａ）は移動可能な家具部分が開放端位置にあるときの部分断面図、（ｂ）は移動可能な家具部分が中間位置にあるときの部分断面図である。
【図３】同装置がタッチラッチ構造である場合を示す図であって、（ａ）は移動可能な家具部分が閉鎖端位置にあるときの部分断面図、（ｂ）は上記（ａ）の部分拡大断面図、（ｃ）は移動可能な家具部分が起動条件位置にあるときの部分断面図である。
【図４】同装置における初期化装置の作動要素がドライブユニットに含まれている場合を示す図であって、（ａ）は移動可能な家具部分が閉鎖端位置にあるときの部分断面図、（ｂ）は上記（ａ）の部分拡大断面図、（ｃ）は移動可能な家具部分が起動条件位置にあるときの部分断面図である。
【図５】本発明による装置のドライブユニットを示すもので、（ａ）は側方フレームを含む斜視図、（ｂ）は（ａ）の部分拡大斜視図である。
【図６】同装置におけるドライブユニットの斜視図を示している。
【図７】同装置における連結シャフトを示すもので、（ａ）はこの連結シャフトが両側方フレーム間に位置している様子を示す斜視図、（ｂ）は（ａ）の部分拡大図である。
【図８】同装置における連結シャフトを別の角度からみた状態を示すもので、（ａ）はこの連結シャフトが両側方フレーム間に位置している様子を示す斜視図、（ｂ）は（ａ）の部分拡大図である。
【図９】本発明による装置を実装した家具の斜視図である。
【図１０】本発明による装置を実装した別の家具の斜視図である。
【図１１】図９に示した家具を示すもので、（ａ）はその移動可能な家具部分（引き出し）を引き出した状態を示す斜視図、（ｂ）は（ａ）の要部拡大斜視図である。
【図１２】本発明による装置を構成するディスクを示すもので、（ａ）は平面図、（ｂ）は斜視図、（ｃ）は誘導センサーからの信号を示すグラフ、（ｄ）は光検出素子を採用したときのディスクの斜視図である。
【図１３】本発明による装置の作動を例示によって説明する、距離と時間のグラフである。
【図１４】本発明による装置の別の作動を例示によって説明する、距離と時間のグラフである。
【図１５】本発明による装置のさらに別の作動を例示によって説明する、距離と時間のグラフである。
【図１６】本発明による装置の個々の図示された論理要素間の情報の流れを概略的に示すフローチャートである。
【図１７】本発明による装置の異なる角度から見た概略を示すもので、（ａ）は側面図、（ｂ）は平面図である。
【符号の説明】
１    調節装置
２    加速度測定装置
３    （移動可能な）家具部分
４    位置測定装置
５    ドライブユニット
６    初期化装置
７    （本発明による）装置
８    実際値計算装置
１０    レギュレーター
１１    作動要素
１２    側面
１３    側面
１４    側方フレーム
１５    側方フレーム
１６    後部壁
１７    ベルト
１８    ローラー
１９    連結シャフト
２２    ギア
２３    ディスク
２４    光検出要素
２５    発光素子
２６    前面パネル
２７    誘導センサー
２８    ハンドル
２９    動力源（導電性接続）
３０    隙間
３１    スクリーンまたは前面パネル
【図１】
0005009485.tif 000002
【図２】
0005009485.tif 000003
【図３】
0005009485.tif 000004
【図４】
0005009485.tif 000005
【図５】
0005009485.tif 000006
【図６】
0005009485.tif 000007
【図７】
0005009485.tif 000008
【図８】
0005009485.tif 000009
【図９】
0005009485.tif 000010
【図１０】
0005009485.tif 000011
【図１１】
0005009485.tif 000012
【図１２】
0005009485.tif 000013
【図１３】
0005009485.tif 000014
【図１４】
0005009485.tif 000015
【図１５】
0005009485.tif 000016
【図１６】
0005009485.tif 000017
【図１７】
0005009485.tif 000018